(57)【要約】【課題】ネットの回収及び展開時の作業効率の向上と作業負担の軽減を図る。【解決手段】ネット回収装置１は、逆Ｕ字状に形成されて作業者が把持可能な本体フレーム３と、この両端部間に回転自在に装着された巻取軸部３０と、この一端部に連結されて巻取軸部３０を回転させる操作ハンドル４０とを有する。この回収装置を用いてネットを回収する場合には、巻取軸部３０にネットの一端部を掛け止し、本体フレーム３を把持しながら操作ハンドル４０で巻取軸部３０にネットを巻き上げながら、畝に沿って歩いて本体フレーム３をネット他端側へ移動させる。ネットを展張する場合には、ネットが巻回された巻取軸部３０を本体フレーム３に装着し、本体フレーム３を把持しながら操作ハンドル４０で巻取軸部３０から繰り出されたネットを畝の一端側に設置し、畝に沿って歩いて本体フレーム３をネットの他端側へ移動させるとともに、操作ハンドル４０によって巻取軸部３０からネットを繰り出す。【選択図】  図１
2012191883.tif 000002
【特許請求の範囲】
【請求項１】
畝に生育される作物を支持するため前記畝に設けられたネットを巻き上げて回収するネット回収装置であって、
逆Ｕ字状に形成されて作業者が把持可能な本体フレームと、
前記本体フレームの両端部間に回転自在に装着された巻取軸部と、
前記巻取軸部の一端部に連結されて該巻取軸部を回転させる回転手段と
を有してなることを特徴とするネット回収装置。
【請求項２】
前記巻取軸部は、前記本体フレームの両端部に着脱可能に装着されていることを特徴とする請求項１に記載のネット回収装置。
【請求項３】
前記本体フレームの一方側端部には、該一方側端部に回転自在に支持されて前記巻取軸部の一端部を挿入可能な孔部を有した一側支持部が設けられ、
前記本体フレームの他方側端部には、前記巻取軸部の他端部を挿入可能な穴部を有して、前記他方側端部に回転自在に支持されるとともに該他方側端部に対して前記巻取軸部の軸心方向に摺動自在に支持されて、前記一側支持部との間に前記巻取軸部を装着する他側支持部が設けられ、
前記他側支持部は、弾性体を介して前記他方側端部に支持されて、前記弾性体によって、前記一側支持部及び前記他側支持部間に装着された前記巻取軸部を前記一側支持部側へ附勢することを特徴とする請求項１又は２に記載のネット回収装置。
【請求項４】
前記回転手段は、前記一側支持部の前記巻取軸部が挿入される側と反対側の端部に着脱可能に連結される手動式の操作ハンドル又は電動式のドライバであることを特徴とする請求項３に記載のネット回収装置。
【請求項５】
前記他側支持部は、これに装着される前記巻取軸部の軸心方向に延びて前記他側支持部に摺動自在に支持される支軸と、該支軸の一側支持部側の端部に設けられて前記穴部を有する接続部と、前記他側支持部の前記一側支持部側の端部と前記接続部との間に延びる支軸に装着された前記弾性体と、前記他側支持部の前記一側支持部側と反対側の端部から延出する支軸に設けられ、前記接続部の穴部に挿入された前記巻取軸部を該穴部から抜脱させる際に操作される操作レバーとを有してなることを特徴とする請求項３に記載のネット回収装置。
【請求項６】
逆Ｕ字状に形成されて作業者が把持可能な本体フレームと、該本体フレームの両端部間に回転自在に装着された巻取軸部と、該巻取軸部の一端部に連結されて前記巻取軸部を回転させる回転手段とを有し、畝に生育される作物を支持するため前記畝に設けられたネットを巻き上げて回収するネット回収装置によって、作物を収穫した後の畝に残された前記ネットを回収するネット回収方法であって、
前記巻取軸部に前記畝に残された前記ネットの一端部を掛け止し、
前記本体フレームを把持しながら前記回転手段によって前記巻取軸部を回転させて前記ネットを巻き上げるとともに、前記本体フレームを前記畝に沿って前記ネットの他端側へ移動させることを特徴とするネット回収方法。
【請求項７】
逆Ｕ字状に形成されて作業者が把持可能な本体フレームと、該本体フレームの両端部間に回転自在に装着された巻取軸部と、該巻取軸部の一端部に連結されて前記巻取軸部を回転させる回転手段とを有し、畝に生育される作物を支持するため前記畝に設けられたネットを巻き上げて回収するネット回収装置を使用して、作物を生育する畝に前記ネットを展張するネット展張方法であって、
前記ネット回収装置によって回収されたネットが巻回された前記巻取軸部を前記本体フレームに装着し、
前記本体フレームを把持しながら前記回転手段によって前記巻取軸部を回転させて前記巻取軸部から繰り出されたネットを畝の長手方向一端側に設置し、
前記本体フレームを前記畝に沿って長手方向他端側へ移動させるとともに、該本体フレームの移動に伴って前記巻取軸部を回転させ又は前記回転手段によって前記巻取軸部を回転させて、前記巻取軸部からネットを繰り出すことを特徴とするネット展張方法。
【発明の詳細な説明】
【技術分野】
【０００１】
本発明は、畝に生育される花きや野菜等の作物の倒伏等を防止するため畝に設けられたネットを作物の収穫後に回収するネット回収装置及びこれを用いたネット回収方法、ネット展張方法に関する。
【背景技術】
【０００２】
農業資材の１つであるフラワーネットは、キクやカーネーション、トルコキキョウ等の花きをはじめ、ネギやアスパラガス等の野菜生産にも広く用いられており、生育途中の作物の倒伏や曲がりを防止して品質を確保するために不可欠な資材である。
【０００３】
このフラワーネットは、一般に畝の天端に設置され、作物の植え付けから収穫に至るまで、作物の高さに合わせてネットの高さを適切に調節することで、作物の姿勢が保持される。作物を収穫した後には、マルチ、フラワーネット、支柱杭等の撤去すべき資材が多く残される。これらの撤去作業は、「杭の撤去→フラワーネットの回収→マルチの撤去」の順番で行われる。
【０００４】
この撤去作業のうち杭やマルチの撤去作業は、複数の作業者や機械等によって短時間で行うことができる。しかしながら、繰り返し使用されるフラワーネットの回収作業は、１畝に対して１名又は２名の作業者がフラワーネットを畝の端から丁寧に巻き取る方法で行われ、撤去作業全体を効率的に進めていく上でネックとなっている。
【０００５】
そこで、車輪を有して走行可能なフレームにエンジン等の動力源で駆動される巻き取り機構を有するネット巻き取り回収作業機（特許文献１参照）や、作物の収穫と同時にフラワーネットの回収作業を行うことができるフラワーネット回収装置を搭載した小ギク収穫機が開発されている（非特許文献１参照）。
【０００６】
特許文献１に記載の回収作業機は、フラワーネットに約２ｍ間隔で横桟が設けられたものを回収対象とし、畝長が１８０ｍの場合、回収されるネットの重量が約３０ｋｇとなって作業者の負担が増大することから、同作業機が開発された。しかしながら、多くの花き栽培では、畝長が１００ｍ以上になる場合は少なく、導入コストの面で動力式の回収作業機の要望は少ない。
【０００７】
また、非特許文献１に記載の収穫機に搭載された回収装置は、切り花収穫作業との同時作業を前提とするものであり、この回収装置のみを使用するために、この収穫機を使用するのは大がかりすぎる。
【０００８】
従って、フラワーネットを回収する作業を省力化する簡易な器具は存在せず、フラワーネットの回収作業は、手作業で行われているが現状である。
【先行技術文献】
【特許文献】
【０００９】
【特許文献１】特開２００８−１４８５８５
【非特許文献１】奈良県農業研究センターニュース（2010）、“小ギク切り花の収穫機と収穫作業体系の開発”、[ｏｎｌｉｎｅ]、２０１０年６月、[平成２３年３月１日検索］、インターネット  ＜ＵＲＬ：http://www.pref.nara.jp/secure/8307/136-pl.pdf＞
【発明の概要】
【発明が解決しようとする課題】
【００１０】
この手作業によるフラワーネットの回収作業は、ネットを圃場に展張する際に使用される木の角材を作業者が回転させて行う作業であり、この角材の回転操作は、作業者が手首を返しながらフラワーネットを角材に巻き付ける操作である。このため、作業者がこの操作を継続して行うと、手首が疲労して苦痛となり、休憩を取りながらの作業となる。このため、ネットの回収作業が途中で中断する時間が長くなり、ネット回収作業の作業効率が低下する。またフラワーネットの展張時にも回収と同様の問題が生じており、回収時及び展開時の作業効率化と作業負担の軽減が求められている。
【００１１】
本発明は、このような問題に鑑みてなされたものであり、フラワーネットの回収時及び展開時において、回収作業及び展開作業の作業効率化と作業負担の軽減が可能なネット回収装置、及びこの回収装置を用いたネット回収方法、ネット展張方法を提供することを目的とする。
【課題を解決するための手段】
【００１２】
このような課題を解決するため、本発明は、畝に生育される作物を支持するため畝に設けられたネット（実施の形態におけるフラワーネットＮ）を巻き上げて回収するネット回収装置であって、逆Ｕ字状に形成されて作業者が把持可能な本体フレームと、本体フレームの両端部間に回転自在に装着された巻取軸部と、巻取軸部の一端部に連結されて該巻取軸部を回転させる回転手段（実施の形態における操作ハンドル４０、ソケット６１）とを有してなることを特徴とする（請求項１）。
【００１３】
また本発明の巻取軸部は、本体フレームの両端部に着脱可能に装着されていることを特徴とする（請求項２）。
【００１４】
また本発明は、本体フレームの一方側端部（実施の形態における支持本体右１０）には、該一方側端部に回転自在に支持されて巻取軸部の一端部を挿入可能な孔部（実施の形態における挿入孔部５５）を有した一側支持部（実施の形態における右側支持部５０）が設けられ、本体フレームの他方側端部（実施の形態における支持本体左２０）には、巻取軸部の他端部を挿入可能な穴部（実施の形態における凹部７５ａ）を有して、他方側端部に回転自在に支持されるとともに該他方側端部に対して巻取軸部の軸心方向に摺動自在に支持されて、一側支持部との間に巻取軸部を装着する他側支持部（実施の形態における左側支持部７０）が設けられ、他側支持部は、弾性体（実施の形態における圧縮ばね７８）を介して他方側端部に支持されて、弾性体によって、一側支持部及び他側支持部間に装着された巻取軸部を一側支持部側へ附勢することを特徴とする（請求項３）。
【００１５】
また本発明の回転手段は、一側支持部の巻取軸部が挿入される側と反対側の端部に着脱可能に連結される手動式の操作ハンドル又は電動式のドライバであることを特徴とする（請求項４）。
【００１６】
さらに本発明の他側支持部は、これに装着される巻取軸部の軸心方向に延びて他側支持部に摺動自在に支持される支軸（実施の形態におけるガイド軸部７１）と、該支軸の一側支持部側の端部に設けられて穴部（実施の形態における凹部７５ａ）を有する接続部と、他側支持部の一側支持部側の端部と接続部との間に延びる支軸に装着された弾性体（実施の形態における圧縮ばね７８）と、他側支持部の一側支持部側と反対側の端部から延出する支軸に設けられ、接続部の穴部に挿入された巻取軸部を該穴部から抜脱させる際に操作される操作レバーとを有してなることを特徴とする（請求項５）。
【００１７】
また本発明は、逆Ｕ字状に形成されて作業者が把持可能な本体フレームと、該本体フレームの両端部間に回転自在に装着された巻取軸部と、該巻取軸部の一端部に連結されて巻取軸部を回転させる回転手段とを有し、畝に生育される作物を支持するため畝に設けられたネットを巻き上げて回収するネット回収装置によって、作物を収穫した後の畝に残されたネットを回収するネット回収方法であって、巻取軸部に畝に残されたネットの一端部を掛け止し、本体フレームを把持しながら回転手段によって巻取軸部を回転させてネットを巻き上げるとともに、本体フレームを畝に沿って前記ネットの他端側へ移動させることを特徴とする（請求項６）。
【００１８】
また本発明は、逆Ｕ字状に形成されて作業者が把持可能な本体フレームと、該本体フレームの両端部間に回転自在に装着された巻取軸部と、該巻取軸部の一端部に連結されて巻取軸部を回転させる回転手段とを有し、畝に生育される作物を支持するため畝に設けられたネットを巻き上げて回収するネット回収装置を使用して、作物を生育する畝にネットを展張するネット展張方法であって、ネット回収装置によって回収されたネットが巻回された巻取軸部を本体フレームに装着し、本体フレームを把持しながら回転手段によって巻取軸部を回転させて巻取軸部から繰り出されたネットを畝の長手方向一端側に設置し、本体フレームを畝に沿って長手方向他端側へ移動させるとともに、該本体フレームの移動に伴って巻取軸部を回転させ又は回転手段によって巻取軸部を回転させて、巻取軸部からネットを繰り出すことを特徴とする（請求項７）。
【発明の効果】
【００１９】
本発明に係わるネット回収装置、及びこの回収装置を用いたネット回収方法、ネット展張方法は、前述した特徴を有することで、フラワーネットの回収時及び展開時において、回収作業及び展開作業の作業効率化と作業負担の軽減を可能にすることができる。
【図面の簡単な説明】
【００２０】
【図１】本発明の一実施形態に係わるネット回収装置の正面図を示す。
【図２】このネット回収装置の右側に配設された支持本体右とこれに支持される右側支持部の正面図を示す。
【図３】支持本体右に支持された右側支持部とこれに装着される操作ハンドルの正面図を示す。
【図４】同図（ａ）は、右側支持部の側面図を示し、同図（ｂ）は支持本体右に支持された右側支持部に操作ハンドルが装着されたネット回収装置の部分正面図を示す。
【図５】支持本体右に支持された右側支持部に電動式のドライバの先端部に挿着されるソケットの正面図を示す。
【図６】同図（ａ）は、本発明の一実施形態に係わるネット回収装置の左側に配設された支持本体左に支持された左側支持部の正面図を示し、同図（ｂ）は左側支持部の側面図を示す。
【図７】左側支持部の作動を説明するための左側支持部の正面図を示す。
【図８】本発明のネット回収方法を説明するための説明図を示す。
【図９】本発明の他のネット回収方法を説明するための図を示し、同図（ａ）は複数段のフラワーネットが設けられた畝の斜視図であり、同図（ｂ）は複数段のフラワーネットが設けられた畝の概略側面図である。
【発明を実施するための形態】
【００２１】
以下、本発明に係わるネット回収装置、ネット回収方法及びネット展張方法の一実施形態を図１〜図９に基づいて説明する。先ず、本願発明のネット回収方法及びネット展張方法を説明する前に、これらの方法に用いられるネット回収装置について説明する。
【００２２】
ネット回収装置は、図１（正面図）に示すように、作業者が把持可能な本体フレーム３と、本体フレーム３の両端部間に回転自在に装着された巻取軸部３０と、巻取軸部３０の左右方向右側端部に連結されて巻取軸部３０を回転させる手動式の操作ハンドル４０とを有してなる。
【００２３】
本体フレーム３は、左右方向に直線状に延びるフレーム上部４と、フレーム上部４の両端部から下方に直線状に延びるフレーム側部右５及びフレーム側部左６とを有して、正面視において逆Ｕ字状に形成されている。フレーム側部右５及びフレーム側部左６は略同じ長さを有している。これらのフレーム側部５，６はフレーム上部４の延びる方向に対して略９０°の角度を有して延びている。なお、本体フレーム３は逆Ｕ字状であれば、フレーム上部４とフレーム側部右５とのなす角度及び、フレーム上部４とフレーム側部左６とのなす角度は鈍角でもよく、またフレーム上部４、フレーム側部右５、フレーム側部左６が連続して屈曲して全体で湾曲する又は、直線と曲線が連続して繋がるように形成されてもよい。
【００２４】
フレーム側部右５及びフレーム側部左６の各下端には、筒状の支持本体右１０及び支持本体左２０が設けられている。これら支持本体右１０及び支持本体左２０は、各内部の貫通孔１０ａ、２０ａの中心軸線が略同一軸線上になるように配設されている。
【００２５】
支持本体右１０は、図２に示すように、その右側端部に支持本体右１０の貫通孔１０ａの内径φＡよりも小さい内径φＢを有した孔部１２ａを備える平座金１２が溶接等によって固着されている。平座金１２はその孔部１２ａの中心軸線が支持本体右１０の貫通孔１０ａの中心軸線と略同一直線上になるように配設されている。平座金１２の詳細については後述する。
【００２６】
この支持本体右１０に右側支持部５０が挿着される。右側支持部５０は、左右方向に延びる円筒状の軸部５１と、軸部５１の左端に設けられ軸部５１に対して直交する方向に延びる円板状のガイド板５７と、軸部５１の右端に固着された六角ナット５９とを有してなる。
【００２７】
軸部５１は、大径部５２と大径部５２の右端に繋がって延びる小径部５３とを有してなる。大径部５２は、支持本体右１０の貫通孔１０ａに嵌合可能な外径を有している。大径部５２の外径φＣは平座金１２の孔部１２ａの内径φＢよりも大きな寸法を有している。このため、軸部５１が支持本体右１０の貫通孔１０ａに挿入されると、大径部５２の右端が平座金１２の内面に接触して支持本体右１０に対する右側支持部５０の右側への移動が規制される。
【００２８】
大径部５２の軸の長さＬは、大径部５２の右端が平座金１２に接触した状態で支持本体右１０の左端面から延出する長さを有している。この大径部５２の長さＬは、巻取軸部３０（図１参照）の長さや本体フレーム３の長さ等から決定される。
【００２９】
小径部５３の大径部側の端部には、環状の凹溝５３ａが設けられている。この凹溝５３ａには止め輪５４（図３参照）が装着されて支持本体右１０に対する右側支持部５０の支持本体左側への抜脱を規制している。凹溝５３ａの幅Ｄは止め輪５４と平座金１２の厚さを合算した値よりも僅かに大きな寸法を有している。
【００３０】
軸部５１には、図３を更に追加して説明すると、その軸心方向に延びて手動式の操作ハンドル４０の軸部４１及び巻取軸部３０（図１参照）の右側端部を挿入可能な挿入孔部５５が貫通している。この挿入孔部５５はその中心軸線が軸部５１の中心軸線と略同一軸線上になるように設けられている。つまり、挿入孔部５５は大径部５２及及び小径部５３を貫いて設けられている。
【００３１】
小径部５３の長さ方向中間部には挿入孔部５５に直交する方向に貫通する貫通孔５３ｂが設けられている。この貫通孔５３ｂにはボルト５３ｃが挿通されて、右側支持部５０の挿入孔部５５に挿入された操作ハンドル４０の軸部４１を右側支持部５０に連結する。このため、操作ハンドル４０を回動させると、右側支持部５０は操作ハンドル４０の回転方向と同一方向に回転する。操作ハンドル４０を右側支持部５０に連結する詳細については後述する。
【００３２】
ボルト５３ｃは先端部が小径部５３から延出してナット５３ｄと螺合される。小径部５３の右側端部に固着された六角ナット５９は、その内側のねじ部５９ａの内径が操作ハンドル４０の軸部４１の外径よりも僅かに大きな径を有し、六角ナット５９の中心軸線が右側支持部５０の軸部５１の中心軸線と略同一軸線上に位置するように配設されている。このため、操作ハンドル４０の軸部４１は、六角ナット５９のねじ部５９ａを通って挿入孔部５５内へ容易に挿入することができる。
【００３３】
ガイド板５７は、その中央部に軸部５１（大径部５２）を挿入可能な孔部５７ａが設けられ、この孔部５７ａに挿入された軸部５１にガイド板５７が溶接等によって固着されている。ガイド板５７の内側の周縁部には径方向外側に進むに従ってガイド板５７の外側に傾く傾斜面５７ｂが環状に設けられている。この傾斜面５７ｂによって、フラワーネットの巻取軸部３０（図１参照）側への移動を案内する。
【００３４】
挿入孔部５５の左側にはこの挿入孔部中心を通る板部材５８が設けられている（図４（ａ）参照）。この板部材５８は、巻取軸部３０の一方側の端部に設けられた切り欠き（図示せず）と係合して回転する右側支持部５０の動力を巻取軸部３０に伝達する機能を有する。
【００３５】
操作ハンドル４０は、図３に示すように、挿入孔部５５に挿入可能な直線状に延びる前述した軸部４１と、軸部４１の一端部に繋がって軸部４１に対して直交する方向に延びる腕部４３と、腕部４３の一端部に繋がって軸部４１と反対側へ延びる操作軸部４５とを有してなる。操作軸部４５には作業者が把持するゴム製の把持部４６が挿着されている。
【００３６】
軸部４１の軸方向中間部には、前述した小径部５３の貫通孔５３ｂに挿通されるボルト５３ｃを通すための貫通孔４１ａが設けられている。この貫通孔４１ａは、操作ハンドル４０の軸部４１が右側支持部５０の挿入孔部５５に挿入されると、貫通孔５３ｂと連通可能である。貫通孔４１ａと貫通孔５３ｂが連通した状態で、これらの孔にボルト５３ｃを通し、小径部５３から延出するボルト５３ｃにナット５３ｄを螺合することで、操作ハンドル４０が右側支持部５０に連結される（図４（ｂ）参照）。
【００３７】
操作ハンドル４０の把持部４６は、軸部４１に対して腕部４３の長さ分の距離を有した位置に配置されている。このため、軸部４１を中心として把持部４６を回転させると、モーメントによって比較的に小さい力で軸部４１に連結された右側支持部５０を回転させることができる。
【００３８】
なお、図５に示すように、操作ハンドル４０の代わりに、図示しない電動式のドライバの先端部に設けられる刃部等を装着するチャックに六角ナット５９に係合可能なソケット６１を装着し、このソケット６１を軸部５１の端部に固着された六角ナット５９に係合してもよい。このようにすると、電動式のドライバの動力がソケット６１及び六角ナット５９を介して右側支持部５０の軸部５１に伝達されて、右側支持部５０に装着される巻取軸部３０（図１参照）を高速で回転させることができ、作業者の負担をより軽減することができる。
【００３９】
本体フレーム３の左側に配設されたフレーム側部左６に設けられた支持本体左２０は、図６（ａ）に示すように、その右端に支持本体左２０の貫通孔２０ａの内径よりも大きい内径を有した孔部を備える平座金２１が溶接等によって固着されている。支持本体左２０の貫通孔２０ａは、後述する左側支持部７０に設けられたガイド軸部７１を摺動可能な大きさを有している。支持本体左２０の左側端部には、ガイド軸部７１を移動可能に挿通する六角ナット２３が溶接等によって固着されている。このため、ガイド軸部７１を有する左側支持部７０は、支持本体左２０に対して左右方向に移動自在に支持される。
【００４０】
左側支持部７０は、前述したガイド軸部７１と、ガイド軸部７１の右側端部を接続する接続部７３と、接続部７３の右端に接続されるガイド板７５とを有してなる。ガイド軸部７１の左側端にはガイド軸部７１に対して直交する方向に延びる操作レバー７７が設けられている。この操作レバー７７は、詳細は後述するが、左側支持部７０及び右側支持部５０（図１参照）間に装着された巻取軸部３０をこれらから取り外す際に操作される。
【００４１】
ガイド軸部７１の右側端部は接続部７３に設けられた穴部に挿着され、接続部７３と支持本体左２０との間を延びるガイド軸部７１には圧縮ばね７８が装着されている。圧縮ばね７８は、操作レバー７７が六角ナット２３に当接して左側支持部７０が右側への移動が規制されると（この左側支持部７０の記載された位置を「初期位置Ｐｓ」と記す。）、圧縮状態になるように構成されている。このため、左側支持部７０が初期位置Ｐｓから矢印Ｘ方向にフレーム側部左６側へ移動すると、左側支持部７０は常に圧縮ばね７８によって初期位置Ｐｓ側へ附勢された状態になる（図７参照）。
【００４２】
ガイド板７５は、図６（ａ）及び図６（ｂ）に示すように、右側の面の中央部に巻取軸部３０の端部を挿抜可能な凹部７５ａが設けられている。この凹部７５ａは接続部７３の内部まで延びている。またガイド板７５の内側の周縁部には径方向外側に進むに従ってガイド板７５の外側に傾く傾斜面７５ｂが環状に設けられている。この傾斜面７５ｂによってフラワーネットの巻取軸部側への移動を案内する。
【００４３】
これら右側支持部５０及び左側支持部７０間に装着される巻取軸部３０は、図１に示すように、左側支持部７０が初期位置Ｐｓよりも左側に僅かに移動した位置と右側支持部５０との間に装着可能な長さを有している。このため、巻取軸部３０が右側支持部５０及び左側支持部７０間に装着されると、左側支持部７０の圧縮ばね７８の附勢によって、巻取軸部３０はこれらの支持部間に確実に保持される。巻取軸部３０の外径は、前述した右側支持部５０の挿入孔部５５（図２参照）及び左側支持部７０の凹部７５ａ（図６（ａ）参照）に挿抜可能な大きさを有している。
【００４４】
巻取軸部３０は、その軸方向に所定距離を有して複数のボルト３１が挿通された状態で設けられている。これらのボルト３１はフラワーネットＮ（図８参照）を巻取軸部３０に巻き付ける際にフラワーネットＮの網目にボルト３１を引っ掛けてフラワーネットＮの巻き取りを容易にするとともに、巻き取られたフラワーネットＮのずれを抑えるものである。隣接するボルト３１間の距離ＳはフラワーネットＮの網目の大きさに応じて設定される。
【００４５】
ボルト３１は、巻取軸部３０を貫通してその軸部が巻取軸部３０から延出し、延出した軸部にナット３２が螺合されて巻取軸部３０に固定されている。
【００４６】
このように構成された巻取軸部３０を右側支持部５０及び左側支持部７０間に装着する場合には、図７に示すように、作業者はネット回収装置１を地面等に設置した状態で、左側支持部７０が初期位置Ｐｓからフレーム側部左６側へ移動するように、左側支持部７０の操作レバー７７を左側に引っ張る。その結果、左側支持部７０のガイド板７５は圧縮ばね７８の附勢に抗して左側に移動して、左側支持部７０のガイド板７５と図１に示す右側支持部５０のガイド板５７との間の距離は巻取軸部３０の長さよりも大きくなる。
【００４７】
そして、左側支持部７０及び右側支持部５０間に巻取軸部３０を配置し、巻取軸部３０の一端部を右側支持部５０の挿入孔部５５に挿入し、巻取軸部３０の他端部が左側支持部７０の凹部７５ａに挿入できるように、操作レバー７７によって左側支持部７０のガイド板７５の位置を調整する。従って、巻取軸部３０は左側支持部７０及び右側支持部５０間に確実に保持された状態で装着される。
【００４８】
一方、左側支持部７０及び右側支持部５０間に装着された巻取軸部３０を取り外す場合には、ネット回収装置１を地面等に置き、作業者は本体フレーム３を把持した状態で左側支持部７０のガイド板７５が左側に移動するように、左側支持部７０の操作レバー７７を左側に引っ張る。その結果、左側支持部７０は圧縮ばね７８の附勢に抗して左側に移動して、左側支持部７０のガイド板７５と図１に示す右側支持部５０のガイド板５７との間の距離が巻取軸部３０の長さよりも大きくなり、巻取軸部３０の他端部が凹部７５ａから抜脱される。そして、巻取軸部３０の一端部を挿入孔部５５から抜脱して、巻取軸部３０の取り外し作業が終了する。
【００４９】
次に、ネット回収装置１を用いた本願発明のネット回収方法を、図１及び図８を用いて説明する。図８は、作業者Ｍが畝Ｕに設けられたフラワーネットＮを回収しているときの様子を図示したものである。フラワーネットＮを回収する場合には、先ず、図１に示すように、左側支持部７０及び右側支持部５０間に巻取軸部３０を装着する。そして、作業者Ｍは、図８に示すように、畝Ｕに設けられたフラワーネットＮの長手方向の一端部を巻取軸部３０に掛け止した後に、ネット回収装置１の本体フレーム３を把持しながら操作ハンドル４０を回転して、フラワーネットＮを巻取軸部３０に巻き上げるとともに、畝Ｕに沿って歩きながら本体フレーム３をフラワーネットＮの他端側（矢印Ｂ方向）へ移動させる。
【００５０】
このようにフラワーネットＮの回収作業時において、作業者Ｍはネット回収装置１を把持した状態で操作ハンドル４０を回転させながら畝Ｕに沿って歩くことで、フラワーネットＮを畝Ｕから回収することができる。ここで、操作ハンドル４０の把持部４６は、前述したように巻取軸部３０に繋がる図４（ｂ）に示す軸部４１に対して腕部４３の分だけ距離を有した位置に配置されているので、巻取軸部３０に作用する負荷に対して小さい力で巻取軸部３０を回転させることができる。このため、フラワーネットＮの回収時の作業者Ｍの負担を軽減することができる。また作業者Ｍの負担が軽減されるので、フラワーネットＮの回収時に作業者の休憩時間が短くなって回収作業の中断時間を短縮することができ、フラワーネットＮの回収作業の作業効率を向上することができる。
【００５１】
なお、前述したように操作ハンドル４０の代わりに、電動式のドライバを用いると、フラワーネットＮの回収時間をより短縮することができ、フラワーネットＮの回収作業の作業効率をさらに向上することができる。
【００５２】
また、本発明のネット回収装置１は、図９（ａ）、図９（ｂ）に示すように、畝Ｕの幅方向両側に畝Ｕに沿って所定の間隔を有して配設された複数の支柱杭８０が存在し、フラワーネットＮがこれらの支柱杭８０に引っ掛かった状態にある場合でも、前述したネット回収方法を同様に使用することで、畝Ｕ上に設けられたフラワーネットＮを回収することができる。さらに、フラワーネットＮ、Ｎ'がこれらの支柱杭８０に上下に複数段（図９（ａ）、図９（ｂ）では２段の場合を示している。）に設けられた場合でも、前述したネット回収方法を同様に使用することで、上から一段ずつ順にフラワーネットＮ'、Ｎを回収することができる。
【００５３】
次に、ネット回収装置１を用いた本願発明のネット展張方法を、図８を用いて説明する。先ず、フラワーネットＮが巻回された巻取軸部３０を本体フレーム３の左側支持部７０及び右側支持部５０間に装着する。そして、作業者Ｍは本体フレーム３を把持しながら操作ハンドル４０を回転して巻取軸部３０からフラワーネットＮを繰り出し、フラワーネットＮの一端部を木の角材等に繋いで畝Ｕの長手方向一端部に設置する。そして、作業者Ｍは、畝Ｕに沿って畝Ｕの他端側へ歩きながら、本体フレーム３の移動に伴って巻取軸部３０を回転させ又は操作ハンドル４０を回転して、巻取軸部３０からフラワーネットＮを繰り出して畝Ｕ上に設置し、フラワーネットＮの他端部を木の角材等に繋いで畝Ｕ上に設置する。そして、畝Ｕ上に設置されたフラワーネットＮは、その長手方向両端部に繋がれた木の角材を介して引っ張られて展張される。
【００５４】
なお、フラワーネットＮの一端部は木の角材等に繋がれて畝Ｕの長手方向一端部に設置されてるので、巻取軸部３０からフラワーネットＮを繰り出す際に、作業者Ｍが畝Ｕに沿って歩くことで、操作ハンドル４０を回転させる操作を行うことなく、巻取軸部３０が自然に回転して巻取軸部３０からフラワーネットＮを繰り出すことができる。但し、操作ハンドル４０を回転させる操作を行うことで、巻取軸部３０からフラワーネットＮをより確実に繰り出すことができる。
【００５５】
このようにフラワーネットＮの展張作業時において、作業者Ｍはネット回収装置１を把持した状態で操作ハンドル４０を回転させながら畝Ｕに沿って歩くことで、フラワーネットＮを畝Ｕに設置することができる。ここで、操作ハンドル４０の把持部４６は前述したようにモーメントを利用して巻取軸部３０を回転させることができるので、巻取軸部３０に作用する負荷に対して小さい力で巻取軸部３０を回転させることができる。このため、フラワーネットＮの展張作業時の作業者の負担を軽減することができる。従って、フラワーネットＮの展開時に作業者が休憩する時間が短くなって展開作業の中断時間が短くなり、フラワーネットＮの展開作業の作業効率を向上することができる。
【符号の説明】
【００５６】
１  ネット回収装置
３  本体フレーム
１０  支持本体右（一方側端部）
２０  支持本体左（他方側端部）
３０  巻取軸部
４０  操作ハンドル（回転手段）
５０  右側支持部（一側支持部）
５５  挿入孔部（孔部）
６１  ソケット（回転手段）
７０  左側支持部（他側支持部）
７１  ガイド軸部（支軸）
７３  接続部
７５ａ  凹部（穴部）
７７  操作レバー
７８  圧縮ばね（弾性体）
Ｎ  フラワーネット（ネット）
Ｕ  畝
【図１】
2012191883.tif 000003
【図２】
2012191883.tif 000004
【図３】
2012191883.tif 000005
【図４】
2012191883.tif 000006
【図５】
2012191883.tif 000007
【図６】
2012191883.tif 000008
【図７】
2012191883.tif 000009
【図８】
2012191883.tif 000010
【図９】
2012191883.tif 000011